(57)【要約】【課題】例えば厚さ1mm未満の素材を用いても変形しにくく、収納ケース本体だけでなく収納物を載せる支柱を折り畳んでコンパクトにして搬送することができるうえ、使わないときに収納スペースが節約できる組立て式収納ケースを提供する。【解決手段】シートを折り目に従って折り曲げて収納ケース用の部材とし、該部材に形成された係合部および被係合部が相互に係合して組立てられる組立て式収納ケースであって、断面が円形または多角形であり収納物を覆う筒状の本体と、該収納物を載せる支柱とを有し、前記支柱がシートを折り目に従って折り曲げた部材に形成された係合部および被係合部が相互に係合して組立てられることを特徴とする組立て式収納ケース。【選択図】図１４
2008114922.tif 000002
【特許請求の範囲】
【請求項１】
シートを折り目に従って折り曲げて収納ケース用の部材とし、該部材に形成された係合部および被係合部が相互に係合して組立てられる組立て式収納ケースであって、
断面が円形または多角形であり収納物を覆う筒状の本体と、該収納物を載せる支柱とを有し、
前記支柱がシートを折り目に従って折り曲げた部材に形成された係合部および被係合部が相互に係合して組立てられることを特徴とする組立て式収納ケース。
【請求項２】
前記支柱の上部に、収納物を載せる円盤状もしくは湾曲した台が形成されていることを特徴とする請求項１に記載の組立て式収納ケース。
【請求項３】
前記支柱がＬ字状に折り曲げた２枚のシートを組み合わせることにより、該支柱の横断面を十字状にすることを特徴とする請求項１または請求項２に記載の組立て式収納ケース。
【請求項４】
さらに、前記支柱を固定する台座を有しており、該台座は上面、底面、および、側面を有する箱構造であり、該台座上面に収納物を保持する支柱の端部を差し込んで固定する受け穴を有することを特徴とする請求項１乃至請求項３のいずれか一項に記載の組立て式収納ケース。
【請求項５】
前記本体の上部に該本体と着脱自在に設けられた湾曲シートからなるフタを有することを特徴とする請求項１乃至請求項４のいずれか一項に記載の組立て式収納ケース。
【請求項６】
前記収納物がカツラであることを特徴とする請求項１乃至請求項５の何れか一項に記載の組立て式収納ケース。
【発明の詳細な説明】
【技術分野】
【０００１】
本発明は、シートを折り目に従って折り曲げて収納ケース用の部材とし、該部材の一部に形成された係合部および被係合部が相互に係合して組立てられる組立て式収納ケースに関する。
【０００２】
具体的には、例えば、カツラや帽子等の変形し易い収納物を収納する組立て式収納ケースに関する。
【背景技術】
【０００３】
カツラ等の収納物を収納する組立て式収納ケースに関しては従来から種々の提案がなされている。
【０００４】
例えば、実用新案登録第３０５４４６８号公報（下記特許文献１）には、底面部内面にかつら用台座を固定するための固定部材が設けられたかつら収納ケースが記載されている。
【０００５】
しかし、特許文献１に記載された収納ケースは、シートを折り目に従って折り曲げる組立て式収納ケースであるが、かつらを載せる台座（支柱）は従来の組立て式でないものを使用する必要があるうえ、収納ケースを使用しないときには台座（支柱）を収納する広いスペースが必要になるという問題点があった。
【０００６】
また、特開２００１−３２１７号公報（下記特許文献２）には、未使用時にはコンパクトに折り畳むことができるかつら収納ケースが記載されている。
【０００７】
しかし、特許文献２に記載された収納ケースにおいても、かつらを載せる台座（支柱）は別途手配する必要があるうえ、組立て式でない従来の台座を用いるため収納ケースを使用しないときには台座（支柱）を収納する広いスペースが必要になるという問題点があった。
【０００８】
また、実開平７−１５７２６号公報（下記特許文献３）や、特開２００２−１５５４１３号公報（下記特許文献４）には、従来のかつら収納ケースが記載されているが、使用しないときに広い収納スペースが必要であるうえ、搬送が困難であるという問題点があった。
【特許文献１】実用新案登録第３０５４４６８号公報
【特許文献２】特開２００１−３２１７号公報
【特許文献３】実開平７−１５７２６号公報
【特許文献４】特開２００２−１５５４１３号公報
【発明の開示】
【発明が解決しようとする課題】
【０００９】
本発明は、前述のような従来技術の問題点を解決し、例えば厚さ1mm未満の素材を用いても変形しにくく、収納ケース本体だけでなく収納物を載せる支柱を折り畳んでコンパクトにして搬送することができるうえ、使わないときに収納スペースが節約できる組立て式収納ケースを提供することを課題とする。
【課題を解決するための手段】
【００１０】
本発明は前述の課題を解決するために鋭意検討の結果、収納物を載せる支柱の構造を工夫することにより、例えば厚さ1mm未満の素材を用いても変形しにくく、収納ケース本体だけでなく収納物を載せる支柱を折り畳んでコンパクトにして搬送することができるうえ、使わないときに収納スペースが節約できる組立て式収納ケースを完成させたものであり、その要旨とするところは特許請求の範囲に記載した通りの下記内容である。
（１）シートを折り目に従って折り曲げて収納ケース用の部材とし、該部材に形成された係合部および被係合部が相互に係合して組立てられる組立て式収納ケースであって、断面が円形または多角形であり収納物を覆う筒状の本体と、該収納物を載せる支柱とを有し、前記支柱がシートを折り目に従って折り曲げた部材に形成された係合部および被係合部が相互に係合して組立てられることを特徴とする組立て式収納ケース。
（２）前記支柱の上部に、収納物を載せる円盤状もしくは湾曲した台が形成されていることを特徴とする請求項１に記載の組立て式収納ケース。
（３）前記支柱がＬ字状に折り曲げた２枚のシートを組み合わせることにより、該支柱の横断面を十字状にすることを特徴とする（１）または（２）に記載の組立て式収納ケース。
（４）さらに、前記支柱を固定する台座を有しており、該台座は上面、底面、および、側面を有する箱構造であり、該台座上面に収納物を保持する支柱の端部を差し込んで固定する受け穴を有することを特徴とする（１）乃至（３）のいずれか一項に記載の組立て式収納ケース。
（５）前記本体の上部に該本体と着脱自在に設けられた湾曲シートからなるフタを有することを特徴とする（１）乃至（４）のいずれか一項に記載の組立て式収納ケース。
（６）前記収納物がカツラであることを特徴とする（１）乃至（５）の何れか一項に記載の組立て式収納ケース。
＜作用＞
（１）の発明によれば、シートを折り目に従って折り曲げて収納ケース用の部材とし、該部材に形成された係合部および被係合部が相互に係合して組立てられ、断面が円形または多角形であり収納物を覆う筒状の本体を有するので、例えば1mm未満のＰＰ製（ポリブロピレン製）の収納ケースであっても、変形しにくいうえ、収納物を載せる支柱を有し、この支柱がシートを折り目に従って折り曲げた部材の一部に形成される係合部および被係合部が相互に係合して組立てられているので、カツラや帽子等の変形し易い収納物の形状を保ちつつ収納することができる。また、本発明によれば、例えば1mm未満のＰＰ製（ポリブロピレン製）の素材を使用でき、直角以上の深い角度まで折り曲げることができるので、折り畳んでコンパクトにして梱包して搬送することができるうえ、使わないときに収納スペースが節約できる。
（２）の発明によれば、支柱の上部に、収納物を載せる円盤状もしくは湾曲した台が形成されているので、収納物を変形させることなく容易に載せることができる。
（３）の発明によれば、支柱がＬ字状に折り曲げた２枚のシートを組み合わせることにより、該支柱の横断面を十字状にすることで水平方向に曲げ応力が働いた場合の断面係数を大きくすることができるので、変形しにくい支柱を提供することができる。
（４）の発明によれば、前記支柱を固定する台座を有しており、該台座は上面、底面、および、側面を有する箱構造であるため強度が高く変形しにくいうえ、収納ケース本体の形状を安定させることができるうえ、該台座上面に収納物を保持する支柱の端部を差し込んで固定する受け穴を有するので、支柱を着脱自在に台座に固定することができる。
（５）の発明によれば、本体の上部に該本体と着脱自在に設けられた湾曲シートからなるフタを有するので、本体を内側から広げることにより収納ケース本体を変形しにくくすることができる。
（６）の発明によれば、収納物がカツラのように変形し易い場合であっても、カツラの形状を崩さないで安定した形状を保ったまま収納することができる。
【発明の効果】
【００１１】
本発明によれば、収納物を載せる支柱の構造を工夫することにより、例えば厚さ1mm未満の素材を用いても変形しにくく、収納ケース本体だけでなく収納物を載せる支柱を折り畳んでコンパクトにして搬送することができるうえ、使わないときに収納スペースが節約できる組立て式収納ケースを提供することができ、具体的には、下記のような産業上有用な著しい効果を奏する。
１）例えば1mm未満のＰＰ製（ポリブロピレン製）の収納ケースであっても、変形しにくいうえ、カツラや帽子等の変形し易い収納物の形状を保ちつつ収納することができる。また、本発明によれば、例えば1mm未満のＰＰ製（ポリブロピレン製）の素材を使用でき、直角以上の深い角度まで折り曲げることができるので、折り畳んでコンパクトにして梱包して搬送することができるうえ、使わないときに収納スペースが節約できる。
２）収納物を変形させることなく容易に載せることができる。
３）変形しにくい支柱を提供することができる。
４）収納ケース本体の強度が高く変形しにくいうえ、収納ケース本体の形状を安定させることができるうえ、収納物を載せる支柱を着脱自在に台座に固定することができる。
５）収納ケース本体を内側から広げることにより収納ケース本体を変形しにくくすることができる。
６）カツラの形状を崩さないで安定した形状を保ったまま収納することができる。
【発明を実施するための最良の形態】
【００１２】
発明を実施するための最良の形態について図１〜図２９を用いて詳細に説明する。
＜第１の実施形態＞
図１〜図１５は、本発明の収納ケースにおける第１の実施形態を例示する図である。
【００１３】
本発明は、シートを折り目に従って折り曲げて収納ケース用の部材とし、該部材の一部に形成される係合部および被係合部が相互に係合して組立てられる組立て式収納ケースであり、第１の実施形態は、６角形の断面形状の本体を有する収納ケースを例示するものである。
【００１４】
図１は本発明の第１の実施形態に用いる本体の展開図、図２は本発明の第１の実施形態に用いる本体の斜視図、図３は本発明の第１の実施形態に用いる本体の上部拡大図である。
【００１５】
図１〜図３において、１はハンドル、３は本体下フタ、４は本体側面、５は本体側面上リブ、６は本体上フタ正面ツメ、７は本体上フタツメ、８は本体上フタツメロック、９は本体上フタハンドル穴、１０は本体下フタツメガイド、、１２は本体下フタハンドル穴、１３は本体側面台座ホックガイド、１４は本体側面ホック、１５は本体側面上リブ部フタツメ受け、１６は本体側面溶着部を示す。
【００１６】
図１は本発明の第１の実施形態に用いる本体の展開図である。図１に示すように、本発明の第１の実施形態に用いる本体は、１枚のシートを折り目に従って折り曲げて収納ケース本体の部材とし、該部材の一部に形成される係合部（ツメ）および被係合部（ツメ受け）が相互に係合して組立てられる。
【００１７】
図２は本発明の第１の実施形態に用いる本体の斜視図である。図２に示すように、本体側面４を筒状にして端部を本体側面溶着部１６により接合する。この本体側面４の端部の接合は、他の係合部および被係合部と同様にツメおよびツメ受けとしてもよいが、溶着させることにより接合強度を向上させることができる。
【００１８】
次に、筒状にした本体側面４の上部に設けられた本体側面上リブ５を内側に折り曲げ、その上に図２に示すように本体下フタ３をかぶせる。この際、本体側面上リブ５に設けられたフタツメ受け１５と、本体下フタ３に設けられたツメガイド１０が係合するので本体下フタ３を所定の位置に固定することができる。
【００１９】
次に、本体下フタ３の上部から本体上フタ２をかぶせる。このように、収納ケース本体４の上部に設けるフタを上下２重のシートとしているので、本体の変形を防止し形状を安定化させることができる。
【００２０】
図３は本発明の第１の実施形態に用いる本体の上部拡大図である。図３に示すように、本体上フタ２の６辺のうち５辺にはツメ６、７が設けられており、ツメ６（１ヶ所）は本体下フタ正面ツメ受け１１と係合し、ツメ７（４ヶ所）は本体側面上リブ部フタツメ受け１５と係合して固定される。このツメ７の根元には凸形状の突起からなるロック８が設けられており該突起が被係合部に引っ掛かることにより、係合部（ツメ）が被係合部（ツメ受け）から外れにくくすることができる。
【００２１】
図４は本発明の第１の実施形態に用いる台座の展開図、図５は本発明の第１の実施形態に用いる台座の斜視図、図６は本発明の第１の実施形態に用いる台座の上面図、図７は本発明の第１の実施形態に用いる台座の底面図である。
図４〜図７において、３０は台座底面、３１は台座側面蝶つがい、３２は台座上面、３３は台座側面内側、３４は台座側面内側ツメ受け、３５は台座側面内側ホック用リブ、３６は台座側面内側ホック用リブロック、３７は台座側面ホック台座、３８は台座側面ホック、３９は台座上面支柱受け穴、４０は台座上面支柱受け穴ロック、４１は台座上面支柱受け穴ガイド、４２は台座側面外側、４３は台座側面外側ツメ、４４は台座外側ツメロックを示す。
【００２２】
図４は本発明の第１の実施形態に用いる台座の展開図である。図４に示すように、本発明の第１の実施形態に用いる台座は、１枚のシートを折り目に従って折り曲げて収納ケース本体の部材とし、該部材の一部に形成される係合部（ツメ）および被係合部（ツメ受け）が相互に係合して組立てられる。
【００２３】
図５は本発明の第１の実施形態に用いる台座の斜視図である。図５に示すように、台座底面３０の周辺に設けられた台座側面３３を内側に、台座上面３２の周辺に設けられた台座側面４２を外側にして折り曲げ、台座側面外側ツメ４３を台座側面内側ツメ受け３４に係合させて固定することができる。このように、台座を上面３２、底面３０、側面３３，４２を有する箱構造とすることにより強度を向上させることができ、ホック３８で収納ケース本体のホック１４と係合させて組立てた時に、台座が収納ケース本体を内側から支持することにより収納ケース本体の変形を防止することができる。また、台座の側面を内側３３および外側４２からなる２重のシートとしているので、台座の変形を防止し形状を安定させることができる。
【００２４】
図６は本発明の第１の実施形態に用いる台座の上面図であり、図７は台座の底面図である。図６に示すように、台座外側の側面４２にはツメ４３が設けられており、このツメが台座側面内側ツメ受け３４と係合して固定される。このツメ４３の根元には凸形状の突起からなるロック４４が設けられており該突起が被係合部に引っ掛かることにより、係合部（ツメ）が被係合部（ツメ受け）から外れにくくすることができる。
【００２５】
また、図４〜図６に示すように、台座の上面３２の４ヶ所に支柱受け穴３９が設けられているので、後述する収納物を載せる支柱の端部をこの受け穴３９に差し込んで固定することができ、受け穴３９の中央には受け穴ガイド４１が設けられているので支柱が差し込み易く、受け穴３９の端部には支柱受け凸形状の突起からなるロック４０が設けられており該突起が被係合部に引っ掛かることにより、支柱を外れにくくすることができる。
【００２６】
また、図７に示すように、台座の底面３０の３辺には、台座側面ホック台座３７および台座側面内側ホック用リブ３５が設けられており、このホック台座３７とホック用リブ３５との間にスリットを設けることにより、台座側面外側ツメ４３の受け穴を形成することができ、ホック台座３７を別部材として後から取り付ける必要がない。
【００２７】
図８は本発明の第１の実施形態に用いる支柱の展開図、図９は本発明の第１の実施形態に用いる支柱の斜視図、図１０は本発明の第１の実施形態に用いる支柱の拡大図、図１１〜図１３は本発明の第１の実施形態に用いる支柱の組立て手順を示す図である。
【００２８】
図８〜図１３において、５０は支柱頭部湾曲台、５１は支柱湾曲ガイド半円型ツメ受け、５２は支柱頭部湾曲台ツメ、５３は支柱頭部湾曲台ツメロック、５４は  支柱頭部湾曲台上面、５５は支柱頭部湾曲台上面ツメ、５６は支柱頭部湾曲台上面ツメロック、５７は支柱頭部湾曲台側面A、５８は支柱頭部湾曲台側面Aツメ、５９は支柱頭部湾曲台側面Aツメロック、６０は支柱頭部湾曲台側面B、６１は支柱頭部湾曲台側面C、６２は支柱頭部湾曲台側面Cツメ受け、６３は支柱頭部湾曲台側面Cツメ受けロック、６４は支柱頭部湾曲台側面D、６５は支柱頭部湾曲台側面Dツメ受け、６６は支柱頭部湾曲台側面Dツメ受けロック、６７は支柱側面接着部、６８は支柱固定部材、６９は支柱固定部材ロックを示す。
【００２９】
図８は本発明の第１の実施形態に用いる支柱の展開図である。図８に示すように、本発明の第１の実施形態に用いる支柱は、１枚のシートを折り目に従って折り曲げて収納ケース本体の部材とし、該部材の一部に形成される係合部（ツメ）および被係合部（ツメ受け）が相互に係合して組立てられる。
【００３０】
図９は本発明の第１の実施形態に用いる支柱の斜視図である。図９に示すように、支柱頭部湾曲台５０に隣接して設けられた湾曲台側面B,C,D６０、６２、６４を内側に折り曲げ、湾曲台側面B６０と支柱側面接着部６７とを接合することにより、筒状の支柱を形成することができる。接合する。この頭部湾曲台５０の端部の接合は、他の係合部および被係合部と同様にツメおよびツメ受けとしてもよいが、溶着させることにより接合強度を向上させることができる。
【００３１】
次に、支柱頭部湾曲台側面B６０に隣接した支柱頭部湾曲台上面５４および支柱頭部湾曲台側面A５７を折り曲げて支柱頭部湾曲台側面A５７の端部に設けられたツメ５８を支柱頭部湾曲台側面Cツメ受け６２に係合させ、支柱頭部湾曲台上面ツメ５５を支柱湾曲ガイド半円型ツメ受け５１に係合させることにより支柱頭部湾曲台５０を形成することができる。ツメ５８の端部には凸形状の突起からなるツメロック５９が設けられており、ツメ受け６５の端部には凸形状の突起からなるツメ受けロック６６が設けられているので該突起が被係合部に引っ掛かることにより係合部（ツメ）が被係合部（ツメ受け）から外れにくくすることができる。
【００３２】
図１０は本発明の第１の実施形態に用いる支柱の拡大図である。
【００３３】
図１１〜図１３は本発明の第１の実施形態に用いる支柱の組立て手順を示す図である。
【００３４】
図１１〜図１３に示すように、支柱頭部湾曲台５０を湾曲させてその端部に設けられたツメ５２を支柱頭部湾曲台側面Dツメ受け６５に係合させることにより支柱頭部湾曲台５０の支持部材を形成することができる。ツメ５２の端部にはツメロック５３が設けられており、ツメ受け６２の端部には凸形状の突起からなるツメ受けロック６３が設けられており該突起が被係合部に引っ掛かることにより、係合部が外れにくくすることができる。
【００３５】
図１４は、本発明の第１の実施形態における収納ケースの組立て手順を示す図であり、図１５は収納ケースを組立てた状態を示す図である。
【００３６】
図１４に示すように前述の台座の上面の４ヶ所に設けられた受け穴３９に収納物を保持する支柱の端部（支柱固定部材６８）を差し込んで固定することができる。
【００３７】
また、収納ケース本体を支柱および台座の上から覆うようにかぶせて、ホック１４、３８を係合させることによって収納ケースを組み立てることができる。
【００３８】
以上のように、本発明によれば収納物を載せる支柱が一枚のシートを折り目に従って折り曲げた部材の一部に形成される係合部および被係合部が相互に係合して組立てられ、前記収納物を載せる湾曲台が形成されているので、カツラや帽子等の変形し易い収納物の形状を保ちつつ収納することができる。
【００３９】
また、本発明によれば、例えば1mm未満のＰＰ製（ポリブロピレン製）の素材を使用でき、直角以上の深い角度まで折り曲げることができるので、折り畳んでコンパクトにして梱包して搬送することができるうえ、使わないときに収納スペースが節約できる。
＜第２の実施形態＞
図１６〜図２３は、本発明の収納ケースにおける第２の実施形態を例示する図である。
【００４０】
本発明は、シートを折り目に従って折り曲げて収納ケース用の部材とし、該部材の一部に形成される係合部および被係合部が相互に係合して組立てられる組立て式収納ケースであり、第２の実施形態は、円形の断面形状の本体を有する収納ケースを例示するものである。
【００４１】
図１６は本発明の第２の実施形態に用いる本体の展開図、図１７は本発明の第２の実施形態に用いる本体の上部拡大図である。
【００４２】
図１６〜図１７において、１０１は円筒本体側面、１０２は円筒本体フタフックA通し穴、１０３は円筒本体フタフックA受け、１０４は円筒本体フタフックB通し穴、１０５は円筒本体フタフックB受け、１０６は円筒本体側面ツメ、１０７は円筒本体側面ツメ受け、１０８は円筒本体フタ、１０９は円筒本体フタフックA、１１０は円筒本体フタフックAツメ、１１１は円筒本体フタフックAツメロック、１１２は円筒本体フタフックA円形保持スリット、１１３は円筒本体フタフックB、１１４は円筒本体フタフックBツメ、１１５は円筒本体フタフックBツメロック、１１６は円筒本体フタフックB円形保持スリットを示す。
【００４３】
図１６は本発明の第２の実施形態に用いる本体の展開図である。本発明の第２の実施形態に用いる本体は、図１６に示すような１枚のシートを円筒状に曲げて収納ケース本体の部材とし、該部材の一部に形成される係合部（ツメ）および被係合部（ツメ受け）が相互に係合して組立てられる。
【００４４】
図１７は本発明の第２の実施形態に用いる本体の上部拡大図である。図１７に示すように、円筒本体フタ１０８の周囲の４ヶ所には円筒本体フタフックA、B１０９、１１３が設けられており、この円筒本体フタフックA、B１０９、１１３を本体側面１０１に設けられた通し穴１０２，１０４に通した後、ツメ１１０、１１４を受け１０３，１０５に係合させることにより、収納ケース本体にフタを取り付けることができる。ツメ１１０、１１４根元には凸形状の突起からなるロック１１１，１１５が設けられており該突起が被係合部に引っ掛かることにより、係合部（ツメ）が被係合部（ツメ受け）から外れにくくすることができる。
【００４５】
また、円筒本体フタ１０８の周囲に設けられるフタフックA円形保持スリット１１２と、フタフックB円形保持スリット１１６の形状および幅を変えることにより、円筒本体フタ１０８を取り付けたときにフタが一定方向に湾曲した状態に保持することができ、これによって収納ケース本体を内側から広げることによって、収納ケースの円形断面の歪みを防止することができる。
【００４６】
図１８は本発明の第２の実施形態に用いる台座の展開図、図１９は本発明の第２の実施形態に用いる台座の組立て手順を示す斜視図、図２０は本発明の第２の実施形態に用いる台座を組立てた状態を示す斜視図、図２１は本発明の第２の実施形態に用いる台座の拡大図である。
【００４７】
図１８〜図２１において、１５０は円筒台座上面、１５１は円筒台座側面蝶つがい、１５２は円筒台座側面、１５３は円筒台座側面リブ、１５４は円筒台座側面リブツメ受け、１５５は円筒台座上面支柱受け穴、１５６は円筒台座上面支柱受け穴ガイド、１５７は円筒台座上面支柱受け穴ロック、１５８は円筒台座底面、１５９は円筒台座底面ツメ、１６０は円筒台座底面ツメロックを示す。
【００４８】
図１８は本発明の第２の実施形態に用いる台座の展開図である。図１８に示すように、本発明の第２の実施形態に用いる台座は、１枚のシートを折り目に従って折り曲げて収納ケース本体の部材とし、該部材の一部に形成される係合部（ツメ）および被係合部（ツメ受け）が相互に係合して組立てられる。
【００４９】
図１９は本発明の第２の実施形態に用いる台座の斜視図である。図１９に示すように、円筒台座上面１５０の周辺に設けられた円筒台座側面１５２および円筒台座側面リブ１５３を内側に折り曲げ、円筒台座底面１５８に設けられた円筒台座底面ツメ１５９を円筒台座側面リブツメ受け１５４に係合させて固定することができる。このように、台座を上面１５０、底面１５８、側面１５２を有する箱構造とすることにより強度を向上させることができ、ホック３８で収納ケース本体のホック１４と係合させて組立てた時に、台座が収納ケース本体を内側から支持することにより収納ケース本体の変形を防止することができる。
【００５０】
図２０は本発明の第２の実施形態に用いる台座を組立てた状態を示す斜視図であり、図２１は台座の拡大図である。図２１に示すように、台座底面１５８には底面の一部を切り欠いて引き起こしたツメ１５９が設けられており、このツメが円筒台座側面リブツメ受け１５４に係合して固定される。このツメ１５９の根元には凸形状の突起からなるロック１６０が設けられており該突起が被係合部に引っ掛かることにより、係合部（ツメ）が被係合部（ツメ受け）から外れにくくすることができる。
【００５１】
また、図１９〜図２１に示すように、台座の上面１５０には支柱受け穴１５５が設けられているので、前述の収納物を載せる支柱の端部をこの受け穴１５５に差し込んで固定することができ、受け穴１５５の中央には受け穴ガイド１５６が設けられているので支柱が差し込み易く、受け穴１５５の端部には凸形状の突起からなる支柱受け穴ロック１５７が設けられており該突起が被係合部に引っ掛かることにより、支柱を外れにくくすることができる。
【００５２】
また、図２０に示すように、台座の底面１５８の２ヶ所には、台座側面ホック台座３７およびホック３８を設けることにより、図２２に示すように円筒収納ケース本体と支柱と台座とを一体として組立てることができる。
＜第３および第４の実施形態＞
図２４〜図２９は、本発明の収納ケースにおける第３および第４の実施形態を例示する図である。
【００５３】
本発明は、シートを折り目に従って折り曲げて収納ケース用の部材とし、該部材の一部に形成される係合部および被係合部が相互に係合して組立てられる組立て式収納ケースであり、第３および第４の実施形態は、４角形または８角形の断面形状の本体を有する収納ケースを例示するものである。
【００５４】
図２４は本発明の第３の実施形態における収納ケースを組立てた状態を示す図、図２５は本発明の第４の実施形態における収納ケースを組立てた状態を示す図、図２６本発明の第３の実施形態に用いる支柱の展開図、図２７は本発明の第４の実施形態に用いる支柱の展開図、図２８は本発明の第３の実施形態に用いる支柱の斜視図である。
図２４〜図２９において、１はハンドル、２は本体上フタ、４は本体側面、９  は本体上フタハンドル穴、３７は台座側面ホック台座、３８は台座側面ホック、
３００は隆起支柱ヘッド部、３０１は隆起支柱ヘッド部フック穴、３０２は隆起支柱底面、３０３は隆起支柱ヘッド部スリット、３０４は隆起支柱底面ロックスリットA、３０５は隆起支柱底面ロックスリットB、３０６は隆起支柱底面ホックA、３０７は隆起支柱底面ホックBを示す。
【００５５】
収納ケース本体の断面形状は図２４に示すように４角形でもよく、図２５に示すように８角形でもよい。
【００５６】
また、収納物が部分カツラ（ウィッグ）のように小さい場合には、収納物を載せる支柱は図２６〜図２９に示すような１枚のシートから切り出された部材の一部に設けられた係合部および被係合部（スリットまたはホック）を係合してシートの一部を湾曲させた状態で固定することにより、中央部が隆起した形状の隆起支柱ヘッド部３００を形成することにより、この隆起支柱ヘッド部３００に収納物を載せて変形させないで収納することができる。
＜第５の実施形態＞
図３０〜図４１は、本発明の収納ケースにおける第５の実施形態を例示する図である。
【００５７】
本実施形態は、支柱がＬ字状に折り曲げた２枚のシートを組み合わせることにより、該支柱の横断面を十字状にすることを特徴とする組立て式収納ケースを例示するものである。
【００５８】
図３０〜図３５は、本実施形態に用いる組み合わせ支柱を示す図であり、７０は組み合わせ支柱ショートA、７１は組み合わせ支柱ショートB、７２は組み合わせ支柱ロングA、７３は組み合わせ支柱ロングB、７４は組み合わせ支柱上面フック、７５は組み合わせ支柱A中心折り曲げ線、７６は組み合わせ支柱A結合部ロック、７７は組み合わせ支柱A結合部、７８は組み合わせ支柱台座固定ガイド、７９は組み合わせ支柱B中心折り曲げ線A、８０は組み合わせ支柱B中心折り曲げ線B、８１は組み合わせ支柱B中心折り曲げ線C、８２は組み合わせ支柱B上部折り曲げ線、８３は組み合わせ支柱B上部結合穴、８４は組み合わせ支柱B結合部ロック、８５は組み合わせ支柱B下部折り曲げ線、８６は組み合わせ支柱B下部結合穴、８７は組み合わせ支柱B中心結合部を示す。
【００５９】
図３０および図３１は、本発明の第５の実施形態に用いる短い支柱の展開図である。
【００６０】
図３０および図３１に示すシートを図３４に示すようにＬ字状に折り曲げて組み合わせ、図３４の点線の矢印で示すように係合部と被係合部を係合させて支柱の横断面を十字状にすることによって、水平方向に曲げ応力が働いた場合の断面係数を大きくすることができるので、変形しにくい支柱を提供することができる。
【００６１】
また、図３４に示すように、Ｌ字状に折り曲げた２枚のシートのＬ型の頂部を交差させて組み合わせることにより、その交差部に四角形の断面を形成することができるので、水平方向に曲げ応力が働いた場合の断面係数をさらに大きくすることができる。
【００６２】
図３２および図３３は、本発明の第５の実施形態に用いる長い支柱の展開図である。
【００６３】
図３２および図３３に示すシートを図３５に示すようにＬ字状に折り曲げて組み合わせ、図３５の点線の矢印で示すように係合部と被係合部を係合させて支柱の横断面を十字状にすることによって、水平方向に曲げ応力が働いた場合の断面係数を大きくすることができるので、変形しにくい支柱を提供することができる。
【００６４】
また、図３５に示すように、Ｌ字状に折り曲げた２枚のシートのＬ型の頂部を交差させて組み合わせることにより、その交差部に四角形の断面を形成することができるので、水平方向に曲げ応力が働いた場合の断面係数をさらに大きくすることができる。
【００６５】
この場合、支柱が長いので、中間部に組み合わせ支柱B中心結合部８７を設けることにより、中間で支持することにより水平方向の変形を低減することができる。
【００６６】
また、図３６乃至図３８は本実施形態に用いる被収納物を載せる円盤状の台およびその取り付け方法を示す図であり、３５０は支柱ヘッド部、３５１は支柱ヘッド部ロックスリット、３５２は固定発泡材を示す。
【００６７】
図３６は、本発明の第５の実施形態に用いる支柱ヘッド部の上面図である。
前述の図１３に示すような湾曲した台を設けてもよいが、図３６に示すような円盤状の台を設けて、この上に収納物を変形させることなく容易に載せることができる。
【００６８】
なお、円盤状の台は図３６（a）に示すように円形でもよいが、図３６（ｂ）、（ｃ）に示すように楕円形にすることによってさらに変形抵抗を高めることができる。
【００６９】
図３７は、本発明の第５の実施形態に用いる支柱ヘッド部の組立て手順を示す図である。
【００７０】
円盤状の支柱ヘッド部３５０の短部に設けられた支柱ヘッド部ロックスリット３５１を支柱の上端に設けられた組み合わせ支柱上面フック７４と係合させることにより、支柱ヘッド部３５０を支柱に取り付けることができる。
【００７１】
図３８は、本発明の第５の実施形態に用いる支柱ヘッド部を組立てた状態を示す斜視図である。
【００７２】
また、図３９乃至図４１は、本実施形態に用いる台座およびその取り付け方法を示す図であり、３２は台座上面、３３は台座側面内側、３４は台座側面内側ツメ受け、３５は台座側面内側ホック用リブ、３６は台座側面内側ホック用リブロック、３７は台座側面ホック台座、３８は台座側面ホック、３９は台座上面支柱受け穴、４０は台座上面支柱受け穴ロック、４１は台座上面支柱受け穴ガイド、４２は台座側面外側、４３は台座側面外側ツメ、４４は台座外側ツメロック、４５は台座支柱受け、４６は台座支柱受けロックエンド穴、４７は座支柱受けガイドスリット、４８は台座上面支柱受けロックスリットを示す。
【００７３】
図３９は、本発明の第５の実施形態に用いる短い支柱用の台座の斜視図、図４０は本発明の第５の実施形態に用いる長い支柱用の台座の斜視図である。
【００７４】
支柱の底面の断面形状に合わせて台座にスリットを設けることにより、支柱を簡単に外れにくく固定することができる。
【００７５】
図４１は、本発明の第５の実施形態に用いる長い支柱を組立てた状態を示す斜視図である。
【００７６】
図４１には図示していないが、図１４または図２２に示すような、断面が円形または多角形であり収納物を覆う筒状の本体を設けることにより収納ケースを組み立てることができる。
＜第６の実施形態＞
図４２〜図４６は、本発明の収納ケースにおける第６の実施形態を例示する図である。
【００７７】
図４２〜図４６において、３２は台座上面、３３は台座側面内側、３４は台座側面内側ツメ受け、３５は台座側面内側ホック用リブ、３７は台座側面ホック台座、３８は台座側面ホック、３９は台座上面支柱受け穴、４０は台座上面支柱受け穴ロック、４１は台座上面支柱受け穴ガイド、４２は台座側面外側、４３は台座側面外側ツメ、４４は台座外側ツメロック、８８はアジャスト支柱、８９はアジャスト支柱スライドロック突起、９０はアジャスト支柱ツメ、９１はアジャスト支柱ストッパー受け穴、９２はアジャスト支柱台座、９３はアジャスト支柱台座ホールドを示す。
【００７８】
図４２は、本発明の第６の実施形態に用いる支柱の展開図である。
【００７９】
図４２（a）（b）に示すような簡便な支柱を、図４３に示すような台座に図４４および図４５に示すように差し込んで固定することにより、図４６に示すような、例えば部分かつらのような小さな収納物を収納するケースを提供することができる。
＜第７の実施形態＞
図４７〜図５０は、本発明の収納ケースにおける第７の実施形態を例示する図である。
【００８０】
図４７〜図５０において、７４は組み合わせ支柱上面フック、７８は組み合わせ支柱台座固定ガイド、４００は差し込み支柱A、４０１は差し込み支柱B、４０２は差し込み支柱A差し込みスリット、４０３は差し込み支柱A差し込みスリットガイド、４０４は差し込み支柱Aホールドガイド、４０５は差し込み支柱Aホールドガイドロック、４０６は差し込み支柱Bストレートスリット、４０７は差し込み支柱Bカーブスリット、４０８は差し込み支柱Bホールドガイド受け、４０９は差し込み支柱Bホールドガイド受けロック、４１０は差し込み支柱Bスリットガイドを示す。
【００８１】
本実施形態は、図４７および図４８に示すような、平面状の２枚の差し込み支柱Ａ、Ｂを相互に差し込んで、図４９に示すようにホールドガイド４０４を曲げて固定して、横断面形状が十字状の支柱を形成することにより、簡便な方法で水平方向に曲げ応力が働いた場合の断面係数を大きくすることができるので、変形しにくい支柱を提供することができ、この支柱を、図５０に示すように台座に差し込んで固定することにより支柱を安定した状態に保つことができる。
【００８２】
この場合、差し込み支柱Bスリットガイド４１０に図４８（b）に示すようなカーブを設け、組み立てた支柱に内部応力を発生させることによって変形を防止することができる。
【００８３】
また、図５０には図示していないが、図１４または図２２に示すような、断面が円形または多角形であり収納物を覆う筒状の本体を設けることにより収納ケースを組み立てることができる。
【産業上の利用可能性】
【００８４】
本発明の組立て式収納ケースは、従来に比べて著しく頑丈な組立て式収納ケースを実現することができ、しかも、例えば1mm未満のＰＰ製（ポリブロピレン製）の素材を使用でき製造コストを低減することができるので、カツラや帽子などの変形し易い収納物だけでなく、様々な対象物を収納する収納ケースとして使用することができるため、今後ますます市場の拡大が期待できる。
【図面の簡単な説明】
【００８５】
【図１】本発明の第１の実施形態に用いる本体の展開図である。
【図２】本発明の第１の実施形態に用いる本体の斜視図である。
【図３】本発明の第１の実施形態に用いる本体の上部拡大図である。
【図４】本発明の第１の実施形態に用いる台座の展開図である。
【図５】本発明の第１の実施形態に用いる台座の斜視図である。
【図６】本発明の第１の実施形態に用いる台座の上面図である。
【図７】本発明の第１の実施形態に用いる台座の底面図である。
【図８】本発明の第１の実施形態に用いる支柱の展開図である。
【図９】本発明の第１の実施形態に用いる支柱の斜視図である。
【図１０】本発明の第１の実施形態に用いる支柱の拡大図である。
【図１１】本発明の第１の実施形態に用いる支柱の組立て手順を示す図である。
【図１２】本発明の第１の実施形態に用いる支柱の組立て手順を示す図である。
【図１３】本発明の第１の実施形態に用いる支柱の組立て手順を示す図である。
【図１４】本発明の第１の実施形態における収納ケースの組立て手順を示す図である。
【図１５】本発明の第１の実施形態における収納ケースを組立てた状態を示す図である。
【図１６】本発明の第２の実施形態に用いる本体の展開図である。
【図１７】本発明の第２の実施形態に用いる本体の上部拡大図である。
【図１８】本発明の第２の実施形態に用いる台座の展開図である。
【図１９】本発明の第２の実施形態に用いる台座の組立て手順を示す斜視図である。
【図２０】本発明の第２の実施形態に用いる台座を組立てた状態を示す斜視図である。
【図２１】本発明の第２の実施形態に用いる台座の拡大図である。
【図２２】本発明の第２の実施形態における収納ケースの組立て手順を示す図である。
【図２３】本発明の第２の実施形態における収納ケースを組立てた状態を示す図である。
【図２４】本発明の第３の実施形態における収納ケースを組立てた状態を示す図である。
【図２５】本発明の第４の実施形態における収納ケースを組立てた状態を示す図である。
【図２６】本発明の第３の実施形態に用いる支柱の展開図である。
【図２７】本発明の第４の実施形態に用いる支柱の展開図である。
【図２８】本発明の第３の実施形態に用いる支柱の斜視図である。
【図２９】本発明の第４の実施形態に用いる支柱の斜視図である。
【図３０】本発明の第５の実施形態に用いる短い支柱の展開図である。
【図３１】本発明の第５の実施形態に用いる短い支柱の展開図である。
【図３２】本発明の第５の実施形態に用いる長い支柱の展開図である。
【図３３】本発明の第５の実施形態に用いる長い支柱の展開図である。
【図３４】本発明の第５の実施形態に用いる短い支柱の斜視図である。
【図３５】本発明の第５の実施形態に用いる長い支柱の斜視図である。
【図３６】本発明の第５の実施形態に用いる支柱ヘッド部の上面図である。
【図３７】本発明の第５の実施形態に用いる支柱ヘッド部の組立て手順を示す図である。
【図３８】本発明の第５の実施形態に用いる支柱ヘッド部を組立てた状態を示す斜視図である。
【図３９】本発明の第５の実施形態に用いる短い支柱用の台座の斜視図である。
【図４０】本発明の第５の実施形態に用いる長い支柱用の台座の斜視図である。
【図４１】本発明の第５の実施形態に用いる長い支柱を組立てた状態を示す斜視図である。
【図４２】本発明の第６の実施形態に用いる支柱の展開図である。
【図４３】本発明の第６の実施形態に用いる台座の斜視図である。
【図４４】本発明の第６の実施形態に用いる支柱の組立て手順を示す図である
【図４５】本発明の第６の実施形態に用いる支柱を台座に取付けた状態を示す斜視図である。
【図４６】本発明の第６の実施形態における収納ケースを組立てた状態を示す図である。
【図４７】本発明の第７の実施形態に用いる支柱の展開図である。
【図４８】本発明の第７の実施形態に用いる支柱の展開図である。
【図４９】本発明の第７の実施形態に用いる支柱の組立て手順を示す図である。
【図５０】本発明の第７の実施形態に用いる支柱を台座に取付けた状態を示す斜視図である。
【符号の説明】
【００８６】
１  ハンドル
２  本体上フタ
３  本体下フタ
４  本体側面
５  本体側面上リブ
６  本体上フタ正面ツメ
７  本体上フタツメ
８  本体上フタツメロック
９  本体上フタハンドル穴
１０  本体下フタツメガイド
１１  本体下フタ正面ツメ受け
１２  本体下フタハンドル穴
１３  本体側面台座ホックガイド
１４  本体側面ホック
１５  本体側面上リブ部フタツメ受け
１６  本体側面溶着部
３０  台座底面
３１  台座側面蝶つがい
３２  台座上面
３３  台座側面内側
３４  台座側面内側ツメ受け
３５  台座側面内側ホック用リブ
３６  台座側面内側ホック用リブロック
３７  台座側面ホック台座
３８  台座側面ホック
３９  台座上面支柱受け穴
４０  台座上面支柱受け穴ロック
４１  台座上面支柱受け穴ガイド
４２  台座側面外側
４３  台座側面外側ツメ
４４  台座外側ツメロック
４５  台座支柱受け
４６  台座支柱受けロックエンド穴
４７  座支柱受けガイドスリット
４８  台座上面支柱受けロックスリット
５０  支柱頭部湾曲台
５１  支柱湾曲ガイド半円型ツメ受け
５２  支柱頭部湾曲台ツメ
５３  支柱頭部湾曲台ツメロック
５４  支柱頭部湾曲台上面
５５  支柱頭部湾曲台上面ツメ
５６  支柱頭部湾曲台上面ツメロック
５７  支柱頭部湾曲台側面A
５８  支柱頭部湾曲台側面Aツメ
５９  支柱頭部湾曲台側面Aツメロック
６０  支柱頭部湾曲台側面B
６１  支柱頭部湾曲台側面C
６２  支柱頭部湾曲台側面Cツメ受け
６３  支柱頭部湾曲台側面Cツメ受けロック
６４  支柱頭部湾曲台側面D
６５  支柱頭部湾曲台側面Dツメ受け
６６  支柱頭部湾曲台側面Dツメ受けロック
６７  支柱側面接着部
６８  支柱固定部材
６９  支柱固定部材ロック
７０  組み合わせ支柱ショートA
７１  組み合わせ支柱ショートB
７２  組み合わせ支柱ロングA
７３  組み合わせ支柱ロングB
７４  組み合わせ支柱上面フック
７５  組み合わせ支柱A中心折り曲げ線
７６  組み合わせ支柱A結合部ロック
７７  組み合わせ支柱A結合部
７８  組み合わせ支柱台座固定ガイド
７９  組み合わせ支柱B中心折り曲げ線A
８０  組み合わせ支柱B中心折り曲げ線B
８１  組み合わせ支柱B中心折り曲げ線C
８２  組み合わせ支柱B上部折り曲げ線
８３  組み合わせ支柱B上部結合穴
８４  組み合わせ支柱B結合部ロック
８５  組み合わせ支柱B下部折り曲げ線
８６  組み合わせ支柱B下部結合穴
８７  組み合わせ支柱B中心結合部
８８  アジャスト支柱
８９  アジャスト支柱スライドロック突起
９０  アジャスト支柱ツメ
９１  アジャスト支柱ストッパー受け穴
９２  アジャスト支柱台座
９３  アジャスト支柱台座ホールド
１０１  円筒本体側面
１０２  円筒本体フタフックA通し穴
１０３  円筒本体フタフックA受け
１０４  円筒本体フタフックB通し穴
１０５  円筒本体フタフックB受け
１０６  円筒本体側面ツメ
１０７  円筒本体側面ツメ受け
１０８  円筒本体フタ
１０９  円筒本体フタフックA
１１０  円筒本体フタフックAツメ
１１１  円筒本体フタフックAツメロック
１１２  円筒本体フタフックA円形保持スリット
１１３  円筒本体フタフックB
１１４  円筒本体フタフックBツメ
１１５  円筒本体フタフックBツメロック
１１６  円筒本体フタフックB円形保持スリット
１５０  円筒台座上面
１５１  円筒台座側面蝶つがい
１５２  円筒台座側面
１５３  円筒台座側面リブ
１５４  円筒台座側面リブツメ受け
１５５  円筒台座上面支柱受け穴
１５６  円筒台座上面支柱受け穴ガイド
１５７  円筒台座上面支柱受け穴ロック
１５８  円筒台座底面
１５９  円筒台座底面ツメ
１６０  円筒台座底面ツメロック
３００  隆起支柱ヘッド部
３０１  隆起支柱ヘッド部フック穴
３０２  隆起支柱底面
３０３  隆起支柱ヘッド部スリット
３０４  隆起支柱底面ロックスリットA
３０５  隆起支柱底面ロックスリットB
３０６  隆起支柱底面ホックA
３０７  隆起支柱底面ホックB
３５０  支柱ヘッド部
３５１  支柱ヘッド部ロックスリット
３５２  固定発泡材
４００  差し込み支柱A
４０１  差し込み支柱B
４０２  差し込み支柱A差し込みスリット
４０３  差し込み支柱A差し込みスリットガイド
４０４  差し込み支柱Aホールドガイド
４０５  差し込み支柱Aホールドガイドロック
４０６  差し込み支柱Bストレートスリット
４０７  差し込み支柱Bカーブスリット
４０８  差し込み支柱Bホールドガイド受け
４０９  差し込み支柱Bホールドガイド受けロック
４１０  差し込み支柱Bスリットガイド
【図１】
2008114922.tif 000003
【図２】
2008114922.tif 000004
【図３】
2008114922.tif 000005
【図４】
2008114922.tif 000006
【図５】
2008114922.tif 000007
【図６】
2008114922.tif 000008
【図７】
2008114922.tif 000009
【図８】
2008114922.tif 000010
【図９】
2008114922.tif 000011
【図１０】
2008114922.tif 000012
【図１１】
2008114922.tif 000013
【図１２】
2008114922.tif 000014
【図１３】
2008114922.tif 000015
【図１４】
2008114922.tif 000016
【図１５】
2008114922.tif 000017
【図１６】
2008114922.tif 000018
【図１７】
2008114922.tif 000019
【図１８】
2008114922.tif 000020
【図１９】
2008114922.tif 000021
【図２０】
2008114922.tif 000022
【図２１】
2008114922.tif 000023
【図２２】
2008114922.tif 000024
【図２３】
2008114922.tif 000025
【図２４】
2008114922.tif 000026
【図２５】
2008114922.tif 000027
【図２６】
2008114922.tif 000028
【図２７】
2008114922.tif 000029
【図２８】
2008114922.tif 000030
【図２９】
2008114922.tif 000031
【図３０】
2008114922.tif 000032
【図３１】
2008114922.tif 000033
【図３２】
2008114922.tif 000034
【図３３】
2008114922.tif 000035
【図３４】
2008114922.tif 000036
【図３５】
2008114922.tif 000037
【図３６】
2008114922.tif 000038
【図３７】
2008114922.tif 000039
【図３８】
2008114922.tif 000040
【図３９】
2008114922.tif 000041
【図４０】
2008114922.tif 000042
【図４１】
2008114922.tif 000043
【図４２】
2008114922.tif 000044
【図４３】
2008114922.tif 000045
【図４４】
2008114922.tif 000046
【図４５】
2008114922.tif 000047
【図４６】
2008114922.tif 000048
【図４７】
2008114922.tif 000049
【図４８】
2008114922.tif 000050
【図４９】
2008114922.tif 000051
【図５０】
2008114922.tif 000052